(57)【要約】【課題】自動販売機の利用者が、利用者識別情報の管理を複雑にすることなく、飲料濃度・クリーム・砂糖などの調合割合を調整する作業を省略化でき、商品選択の手順を簡略化することを目的とする。【解決手段】１つの利用者識別情報に対して複数の商品情報（カップ飲料の種類と、このカップ飲料に対する嗜好情報とからなる情報）を対応付けて登録しておく。利用者識別情報を自動販売機２へ入力されると（ステップＳ３，Ｙｅｓ）、この利用者識別情報に紐付いた複数の商品情報に対応したすべての登録嗜好ランプ２４を点灯する（ステップＳ４）。そして、所望の商品選択ボタン２を押下すれば（ステップＳ５）、この商品の種類に応じた嗜好情報を使ってカップ飲料を調理し、利用者へ供給するように構成した（ステップＳ６）。【選択図】  図５
2011076148.tif 000002
【特許請求の範囲】
【請求項１】
利用者識別情報を入力するための入力手段と、
利用者識別情報と複数の商品情報とを対応付けて記憶する記憶手段と、
前記商品情報ごとに対応させて設けた表示部と、
前記入力手段から入力された利用者識別情報をキーにして前記記憶手段を検索し、当該利用者識別情報に対応した複数の商品情報を得る検索手段と、
前記検索手段で得た複数の商品情報に対応した表示部を表示させる表示制御手段と、
を備えることを特徴とする自動販売機。
【請求項２】
前記記憶手段は、前記商品情報として、カップ飲料の種類と、当該カップ飲料に対する嗜好情報とを対応付けて記憶することを特徴とする請求項１に記載の自動販売機。
【請求項３】
前記表示制御手段が表示している複数のカップ飲料の中から所定のカップ飲料が選択された場合は、当該選択されたカップ飲料に紐付いた嗜好情報を用いて調理したカップ飲料を供給する販売制御手段を備えることを特徴とする請求項２に記載の自動販売機。
【請求項４】
前記記憶手段へ利用者識別情報と、カップ飲料の種類と、当該カップ飲料に対する嗜好情報とを対応付けて記憶するための登録手段を備えることを特徴とする請求項２に記載の自動販売機。
【請求項５】
前記嗜好情報は、カップ飲料を構成する原料の調合割合を含むことを特徴とする請求項２に記載の自動販売機。
【請求項６】
前記入力手段は、非接触IC媒体から利用者識別情報を読み取るための非接触ＩＣ媒体用リーダライタ端末であることを特徴とする請求項１〜５のいずれか１項に記載の自動販売機。
【請求項７】
利用者識別情報と複数のカップ飲料の種類と当該カップ飲料に対する嗜好情報とを対応付けて記憶した自動販売機の販売方法において、
金銭等価物を受け付けて、
利用者識別情報が入力された場合、当該利用者識別情報に紐付いた複数のカップ飲料の種類に対応した表示部を表示し、この表示した中から選択されたカップ飲料に紐付いた嗜好情報を用いて調理したカップ飲料を販売し、
利用者識別情報が入力されなかった場合、カップ飲料の種類と当該カップ飲料に対する嗜好情報とを選択させ、この嗜好情報を用いて調理したカップ飲料を供給する
自動販売機の販売方法。
【請求項８】
利用者識別情報と複数のカップ飲料の種類と当該カップ飲料に対する嗜好情報とを対応付けて記憶した自動販売機の販売方法において、
金銭等価物を受け付けるステップと、
利用者識別情報の入力を受けるステップと、
利用者識別情報が入力された場合は、当該利用者識別情報に紐付いた複数のカップ飲料の種類に対応した表示部を表示するステップと、
この表示した中から１つのカップ飲料を選択するステップと、
当該選択されたカップ飲料に紐付けた嗜好情報を用いて調理したカップ飲料を供給するステップと、
を有する自動販売機の販売方法。
【請求項９】
前記利用者識別情報の入力を受けるステップにおいて、利用者識別情報が入力されなかった場合は、
カップ飲料の種類と当該カップ飲料に対する嗜好情報とを選択するステップと、
この嗜好情報を用いて調理したカップ飲料を供給するステップと、
を有する請求項８に記載の自動販売機の販売方法。
【請求項１０】
カップ飲料の種類と当該カップ飲料に対する嗜好情報とを選択した場合、当該カップ飲料の種類と当該カップ飲料に対する嗜好情報と前記利用者識別情報とを対応付けて記憶するステップを有する請求項９に記載の自動販売機の販売方法。
【発明の詳細な説明】
【技術分野】
【０００１】
本発明は、自動販売機、および自動販売機の販売方法に関する。
【背景技術】
【０００２】
自動販売機における商品選択の手順を簡略化する先行技術として、特許文献１がある。この特許文献１には、カップ飲料自動販売機に、暗証番号などの利用者識別情報と好みのカップ飲料およびこのカップ飲料に対する添加物（砂糖、クリーム）などの嗜好情報とを対応付けて記憶しておく技術が記載されている。そして、購入時は暗証番号を入力して、この暗証番号に対応した嗜好情報を用いて調合されたカップ飲料を提供することで、商品選択の手順を簡略化している。
【先行技術文献】
【特許文献】
【０００３】
【特許文献１】特開２００４−２３４０７５号公報
【発明の概要】
【発明が解決しようとする課題】
【０００４】
しかしながら、特許文献１の技術では、１つの暗証番号に対して１つの商品を対応付けている。このため、利用者が複数種類の好みの商品を自動販売機へ記憶するには、同数の暗証番号が必要となるので、利用者にとって管理が複雑になる、という課題があった。
本発明は、上記課題を解決するためになされたもので、自動販売機の利用者にとって、暗証番号などの利用者識別情報の管理を複雑にすることなく、商品を選択するための手順を簡略化することを目的としている。
【課題を解決するための手段】
【０００５】
上記課題を解決するために、利用者識別情報を入力するための入力手段と、利用者識別情報と複数の商品情報とを対応付けて記憶する記憶手段と、前記商品情報ごとに対応させて設けた表示部と、前記入力手段から入力された利用者識別情報をキーにして前記記憶手段を検索し、当該利用者識別情報に対応した複数の商品情報を得る検索手段と、前記検索手段で得た複数の商品情報に対応した表示部を表示させる表示制御手段と、を備えることを特徴とする。
前記記憶手段は、前記商品情報として、カップ飲料の種類と、当該カップ飲料に対する嗜好情報とを対応付けて記憶することを特徴とする。
【０００６】
前記表示制御手段が表示している複数のカップ飲料の中から所定のカップ飲料が選択された場合は、当該選択されたカップ飲料に紐付いた嗜好情報を用いて調理したカップ飲料を供給する販売制御手段を備えることを特徴とする。
【０００７】
前記記憶手段へ利用者識別情報と、カップ飲料の種類と、当該カップ飲料に対する嗜好情報とを対応付けて記憶するための登録手段を備えることを特徴とする。
前記嗜好情報は、カップ飲料を構成する原料の調合割合を含むことを特徴とする。
【０００８】
前記入力手段は、非接触IC媒体から利用者識別情報を読み取るための非接触ＩＣ媒体用リーダライタ端末であることを特徴とする。
利用者識別情報と複数のカップ飲料の種類と当該カップ飲料に対する嗜好情報とを対応付けて記憶した自動販売機の販売方法において、金銭等価物を受け付けて、利用者識別情報が入力された場合、当該利用者識別情報に紐付いた複数のカップ飲料の種類に対応した表示部を表示し、この表示した中から選択されたカップ飲料に紐付いた嗜好情報を用いて調理したカップ飲料を販売し、利用者識別情報が入力されなかった場合、カップ飲料の種類と当該カップ飲料に対する嗜好情報とを選択させ、この嗜好情報を用いて調理したカップ飲料を供給することを特徴とする。
【０００９】
利用者識別情報と複数のカップ飲料の種類と当該カップ飲料に対する嗜好情報とを対応付けて記憶した自動販売機の販売方法において、金銭等価物を受け付けるステップと、利用者識別情報の入力を受けるステップと、利用者識別情報が入力された場合は、当該利用者識別情報に紐付いた複数のカップ飲料の種類に対応した表示部を表示するステップと、この表示した中から１つのカップ飲料を選択するステップと、当該選択されたカップ飲料に紐付けた嗜好情報を用いて調理したカップ飲料を供給するステップと、を有することを特徴とする。
前記利用者識別情報の入力を受けるステップにおいて、利用者識別情報が入力されなかった場合は、カップ飲料の種類と当該カップ飲料に対する嗜好情報とを選択するステップと、この嗜好情報を用いて調理したカップ飲料を供給するステップと、を有することを特徴とする。
【００１０】
カップ飲料の種類と当該カップ飲料に対する嗜好情報とを選択した場合、当該カップ飲料の種類と当該カップ飲料に対する嗜好情報と前記利用者識別情報とを対応付けて記憶するステップを有することを特徴とする。
【発明の効果】
【００１１】
本発明によれば、自動販売機の利用者は、利用者識別情報の管理を複雑にすることなく、商品選択の手順を簡略化できる。
【図面の簡単な説明】
【００１２】
【図１】本実施例における自動販売機の正面図である。
【図２】商品選択ボタン２の構成を示す図である。
【図３】自動販売機の制御構成を示すブロック図である。
【図４】嗜好情報登録テーブルを示す図である。
【図５】本実施例におけるカップ飲料の販売処理を示す図である。
【発明を実施するための形態】
【００１３】
添付図面を適宜参照しながら、本発明にかかる自動販売機の好適な実施の形態について説明する。なお、本実施形態では、カップ飲料を販売するカップ飲料自動販売機として説明する。
【００１４】
図１は、本実施例における自動販売機の正面図である。
自動販売機１は、商品選択ボタン２と、複数種類のカップ飲料サンプル３を収納するパネル４を有する。商品選択ボタン２は、カップ飲料サンプル３の下部に、カップ飲料サンプル３と１対１に対応して配置する。利用者は、パネル４内に陳列されている複数のカップ飲料サンプルの中から購入を希望するカップ飲料を選択する。
【００１５】
商品選択ボタン２の一例を、図２に示す。
商品選択ボタン２は、押しボタン部２１を有する。押しボタン部２１は、販売が可能なことを示す販売可ランプ２２、売り切れを示す売り切れランプ２３、嗜好情報が自動販売機に登録（記憶）されていることを示す登録嗜好ランプ２４を内蔵する。販売可ランプ２２は、利用者がカップ飲料を購入できる硬貨投入や紙幣挿入を行うと、購入可能なカップ飲料に対応するものが点灯する。売切れランプ２３は、カップの原料が無くなったカップ飲料に対応するものが常時点灯する。登録嗜好ランプ２４は、利用者が利用者識別情報を入力することにより、嗜好情報を登録しているすべてのカップ飲料に対応するものが点灯する。
【００１６】
本実施例では、販売可能かどうか、嗜好情報が登録されているかどうかを、ランプで表示する構成としたが、本発明の権利範囲はこの実施形態に限定されない。たとえば、商品選択ボタン２の変形例としては、ランプの代わりに「販売可」などの文字を画面に表示することがある。また、１つの商品選択ボタン２に対してランプ２２〜２４のように複数個のランプを備える代わりに、ランプを１個だけにして、このランプの表示色を変えることで「販売可」などの状況を示すこともできる。
【００１７】
図１に戻って、紙幣挿入口５は、利用者が紙幣を挿入する箇所であり、硬貨投入口６は、利用者が硬貨を投入する部分である。返却レバー７は、投入硬貨を返却口８から返却したり、投入硬貨または挿入紙幣からカップ飲料の購入金額を差し引いた釣銭を返却口８から返却したりするものである。金額表示部９は、投入硬貨金額や挿入紙幣金額等を表示するものである。
【００１８】
自動販売機に金銭を供給する方法としては、上述したような硬貨や紙幣によるものだけでなく、クレジットカード（自動販売機側の受付手段は図示せず）や電子マネー決済用ＩＣカード（自動販売機側の受付手段は図示せず）などがある。硬貨・紙幣・クレジットカード・電子マネー決済用ＩＣカードなどを、包括的に「金銭等価物」と呼ぶことにする。
【００１９】
増量ボタン１０・減量ボタン１１・原料なしボタン１２は、たとえば１杯のコーヒー飲料を調理する際に、コーヒー、砂糖、クリームといった原料の増減もしくは有無を調整するボタンである。商品選択ボタン２で所望のカップ飲料を選択する前に、増量ボタン１０・減量ボタン１１・原料なしボタン１２を押下して、好みの味に調整する。1杯のコールド飲料を調理する際に氷の添加を希望しないとき、商品選択ボタン２を選択する前に、氷なしボタン１３を押下する。
【００２０】
増量ボタン１０・減量ボタン１１・原料なしボタン１２・氷なしボタン１３を利用者の好みに応じて押下し、カップ飲料の調合割合を決める。そして、販売可ランプ２２が点灯している商品選択ボタン２を選択すると、カップ飲料サンプル３に対応するカップ飲料が好みの調合割合で調理され、商品取出口１４から取り出し可能に供給される。
コーヒー・砂糖・クリームといった原料の増減もしくは有無、氷の有無、カップ飲料の好みの温度など、利用者が調整する嗜好に関する情報を、包括的に「嗜好情報」と呼ぶことにする。
【００２１】
カップ飲料自動販売機の場合は、カップ飲料の種類とこのカップ飲料に対する嗜好情報とからなる情報を、「商品情報」と呼ぶことにする。カップ飲料自動販売機以外の場合、たとえば缶飲料やペットボトル飲料を扱う自動販売機における「商品情報」とは、缶飲料やペットボトル飲料などのそれぞれの商品自体、つまり商品の種類を指す。
販売中ランプ１５は、自動販売機１がカップ飲料を正常に販売しているときに点灯するものである。販売中止ランプ１６は、全カップ飲料が売り切れとなったときに点灯するものである。たとえば、全カップ飲料に共通で必要な“水”がなくなった場合は、販売中止ランプ１６が点灯する。釣銭切れランプ１７は、釣銭が不足しているときに点灯する。
【００２２】
嗜好情報登録ボタン１８は、利用者がコーヒー・砂糖・クリームといった原料の調合割合などを調整したとき、この嗜好情報を自動販売機に登録するためのボタンである。利用者は原料の調合割合や氷の有無などを調整し、商品選択ボタン２を使って所望のカップ飲料を選択してから嗜好情報登録ボタン１８を押下し、利用者識別情報入力手段１９から利用者識別情報を入力する。そうすると、自動販売機１の所定領域に、利用者識別情報とカップ飲料とこのカップ飲料に対する嗜好情報とが紐付けて登録（記憶）される。
【００２３】
利用者識別情報としては、暗証番号、指紋などのバイオメトリクス情報、携帯端末に付随する認識番号、ＩＣカードにおけるＩＣチップ固有番号などがある。たとえば、利用者識別情報として暗証番号を使う場合、入力手段１９は数字・記号・アルファベットなどを入力するためのキーボードとなる。利用者識別情報として、非接触ＩＣカードのＦｅｌｉｃａチップ（登録商標）の製造番号を使う場合、利用者識別情報入力手段１９は非接触ＩＣカード用リーダライタとなる。Ｆｅｌｉｃａチップ（登録商標）の製造番号は、ユニークな番号体系をとっている。以下の実施例では、利用者識別情報を保持する媒体として、非接触ＩＣ媒体である非接触ＩＣカードを使い、利用者識別情報入力手段１９として非接触ＩＣカード用リーダライタを使うものとする。非接触ＩＣカードを内蔵した携帯端末も、非接触ＩＣ媒体の１つである。
【００２４】
なお、商品選択ボタン２が選択されていないとき（待機時）、非接触ＩＣカードを利用者識別情報入力手段１９にかざした場合の動作を説明する。この場合、非接触ＩＣカードの利用者識別情報と紐付いて自動販売機に登録されている複数種類のカップ飲料を読み出す。そして、複数種類のカップ飲料に対応したすべての登録嗜好ランプ２４を点灯して、利用者に嗜好情報を登録しているカップ飲料の種類を知らせることができる。
【００２５】
図３は、本実施例にかかる自動販売機の制御構成を示すブロック図である。
主制御部３０は、自動販売機１の各種制御を統括するものであり、ＲＯＭ３１、ＣＰＵ３２、ＲＡＭ３３、周辺回路３４を備える。ＲＯＭ３１は、主制御部３０が統括する複数の従制御部を統括制御するためのプログラムや参照テーブルを記憶している。ＣＰＵ３２は、ＲＯＭ３１から読み出したプログラムの解読結果にしたがって、複数の従制御部を統括制御する。ＲＡＭ３３は、ＣＰＵ３２での演算結果や、複数の従制御部から供給される各種データ等を一時的に記憶する領域である。周辺回路３４は、複数の従制御部と信号を送受信する回路を含む。
【００２６】
従制御部としては、紙幣処理制御部３５、硬貨処理制御部３６、接客制御部３７、販売制御部３８、入力制御部３９を有する。紙幣処理制御部３５は、紙幣挿入口５から挿入された紙幣に対し、紙幣の金種や正偽の判別、紙幣の収納、釣札払い出し等の処理を行う。硬貨処理制御部３６は、硬貨投入口６から投入された硬貨に対し、硬貨の金種や正偽の判別、硬貨の収納、釣銭払い出し等の処理を行う。
【００２７】
接客制御部３７は、各種接客面４０を制御する。各種接客面４０は、商品選択ボタン２、金額表示部９、増量ボタン１０、減量ボタン１１、原料なしボタン１２、氷なしボタン１３、販売中ランプ１５、販売中止ランプ１６、釣銭切れランプ１７、嗜好情報登録ボタン１８から構成される。接客制御部３７は、たとえば、主制御部３０から供給されるカップ飲料販売に関する接客信号にしたがって、販売中ランプ１５や、商品選択ボタン２を構成する登録嗜好ランプ２４を点灯させる表示制御手段として動作する。また、接客制御部３７は、複数の商品選択ボタン２のどれが押下されたのかを検出し、この検出信号を主制御部３０に送信する。接客制御部３７は、嗜好情報登録ボタン１８が押下された場合は、利用者識別情報とカップ飲料の種類および嗜好情報を主制御部３０に送信する。主制御部３０のＣＰＵ３２は、利用者識別情報とカップ飲料の種類および嗜好情報を対応付けて、ＲＯＭ３１に記憶（登録）する。ＲＯＭ３１に記憶されるテーブルの一例を図４に示す。
【００２８】
図４は、嗜好情報登録テーブルを示す図である。嗜好情報登録テーブルは、利用者識別情報入力手段１９から入力された利用者識別情報（非接触ＩＣカードの固有番号）と、商品選択ボタン２で選択されたカップ飲料の種類と、飲料濃度・砂糖・クリームの調合割合と、氷の有無を対応付けて記憶する。この場合、飲料濃度・砂糖・クリームの調合割合と氷の有無に関する情報が、嗜好情報となる。
飲料濃度・砂糖・クリームの調合割合は、それぞれの原料に対し、増量ボタン１０・減量ボタン１１・原料なしボタン１２を操作することで決められる。飲料濃度は、３種類の「濃い」「普通」「薄い」から記憶され、砂糖およびクリームは、4種類の「多い」「普通」「少ない」「なし」から記憶される。また、氷の有無は、氷なしボタン１３を操作することで、「なし」を記憶することができる。
自動販売機は、嗜好情報登録テーブルを参照することにより、利用者が希望する原料の調合割合のカップ飲料を供給・販売することが可能となる。
【００２９】
図３の説明に戻って、販売制御部３８は、接客制御部３７で検出した検出信号を主制御部３０経由で受け取る。そして、この検出信号にしたがって販売機構部４１を制御し、カップ飲料を調理して、商品取出口１４へ商品を供給する。
入力制御部３９は、利用者識別情報入力手段１９から入力される利用者識別情報を、主制御部３０に送信する。主制御部３０のＣＰＵ３２は、この利用者識別情報をキーとしてＲＯＭ３１に記憶する嗜好情報登録テーブルを検索したり、嗜好情報登録ボタン１８が押下された場合はＲＯＭ３１の嗜好情報登録テーブルにこの利用者識別情報に関するレコードを追加したりする。
【００３０】
図５は、本実施例におけるカップ飲料の販売処理を示す図である。
自動販売機１は、紙幣や硬貨、電子マネー決済用ＩＣカードなどの金銭等価物を受け付けると（ステップＳ１）、この金銭等価物で購入可能なカップ飲料に対応した販売可ランプ２２を点灯する（ステップＳ２）。
そして、自動販売機１は、利用者識別情報を保持する非接触ＩＣカードを検知したか、もしくは増量ボタン１０・減量ボタン１１・原料なしボタン１２・氷なしボタン１３のいずれかのボタンが操作されたかを検知する（ステップＳ３）。
ステップＳ３において、利用者識別情報入力手段（非接触ＩＣカード用リーダライタ）１９が非接触ＩＣカードを検知した場合は、図５の左側の処理を行う。
【００３１】
利用者識別情報として、非接触ＩＣカードに固有のＦｅｌｉｃａチップ（登録商標）の製造番号（非接触カード固有番号＝０００００００１）を得る。ＣＰＵ３２は、この固有番号をキーにしてＲＯＭ３１内の嗜好情報登録テーブル（図４を参照）を検索し、固有番号に紐付いたカップ飲料の種類（＝ブレンド、アメリカン、紅茶、オレンジジュース）を得て、これらの種類に対応したすべての登録嗜好ランプ２４を点灯させる（ステップＳ４）。なお、本実施例では、点灯させる登録嗜好ランプ２４は、固有番号に紐付いたすべてのカップ飲料の種類を対象としているが、本発明の権利はこの実施形態に限定されない。すなわち、ステップＳ２で販売可ランプ２２を点灯したカップ飲料であり、かつ、固有番号に紐付いたカップ飲料の種類に対応した登録嗜好ランプ２４のみを点灯させてもよい。
【００３２】
利用者は、登録嗜好ランプ２４が点灯しているカップ飲料の中から、所望のカップ飲料サンプル３の下部に配置された商品選択ボタン２を押下して、所望のカップ飲料を選択する（ステップＳ５）。ＣＰＵ３２は、非接触カード固有番号および選択されたカップ飲料の種類をキーにしてＲＯＭ３１内の嗜好情報登録テーブルを検索し、紐付いている嗜好情報（飲料濃度や砂糖・クリームの調合割合や氷の要否）を読み出す。そして、この嗜好情報を使ってカップ飲料を調理し、利用者へ提供して（ステップＳ６）、販売処理を終了する。
【００３３】
なお、カップ飲料自動販売機の場合は、非接触カード固有番号および選択されたカップ飲料の種類をキーにして、ＲＯＭ３１内の嗜好情報登録テーブルを検索する。一方、カップ飲料自動販売機以外の場合、たとえば缶飲料やペットボトル飲料を扱う自動販売機の場合は、非接触カード固有番号のみをキーにして、ＲＯＭ３１内の嗜好情報登録テーブルを検索することになる。
【００３４】
このように、１つの利用者識別情報（非接触ＩＣカード固有番号）に対して複数の商品情報（カップ飲料の種類と、このカップ飲料に対する嗜好情報とからなる情報）を対応付けて登録（記憶）しておく。利用者識別情報が自動販売機２へ入力されると、この利用者識別情報に紐付いた複数の商品情報に対応したすべての登録嗜好ランプ２４を点灯する。そして、所望の商品選択ボタン２を押下すれば、この商品の種類に応じた嗜好情報を使ってカップ飲料を調理し、利用者へ供給するように構成した。よって、自動販売機１の利用者は、複数の商品情報に対して複数の利用者識別情報を管理しないで済む。すなわち、自動販売機１の利用者は、利用者識別情報の管理を複雑にすることなく、複数の商品の中から所望の商品を選択できるので、商品選択の手順を簡略化できるという効果を得られる。
なお、利用者識別情報と商品情報とを対応付けて登録することが、どうして商品選択の手順を簡略化することにつながるかについて述べる。一般的に、利用者がカップ飲料自動販売機を利用してコーヒー、紅茶等の味の調整が可能な飲料を購入する場合、飲料濃度・クリーム・砂糖などに対する本人の嗜好が変わることが少ない。つまり、カップ飲料を購入する際の嗜好に関する各種設定ボタンの操作は、毎回同じになることが多い。よって、いったん嗜好情報を登録しておくと、次回からは飲料濃度・クリーム・砂糖などの調合割合を調整する作業を省略化できるので、商品選択の手順を簡略化できる。
【００３５】
ところで、ステップＳ３において、増量ボタン１０・減量ボタン１１・原料なしボタン１２・氷なしボタン１３のいずれかのボタンが操作されたことを検知した場合は、図５の右側の処理を行う。
増量ボタン１０・減量ボタン１１・原料なしボタン１２・氷なしボタン１３の操作によって調整された嗜好情報（飲料濃度・クリーム・砂糖などの調合割合や氷の要否）を、ＲＡＭ３３に一時的に記憶する（ステップＳ１１）。ステップＳ２において販売可ランプ２２が点灯したカップ飲料の中から、所望のカップ飲料サンプル３の下部に配置された商品選択ボタン２を押下して、所望のカップ飲料を選択（ステップＳ１２）した場合は、ＲＡＭ３３に一時的に記憶された嗜好情報を使ってカップ飲料を調理し、利用者へ提供（供給）する（ステップＳ１３）。
【００３６】
今回調整した嗜好情報をＲＯＭ３１内の嗜好情報登録テーブルへ登録する場合、利用者は嗜好情報登録ボタン１８を押下し（ステップＳ１４，Ｙｅｓ）、非接触ＩＣカードを利用者識別情報入力手段（非接触ＩＣカード用リーダライタ）１９へタッチする。非接触ＩＣカード用リーダライタ１９は、利用者識別情報として、非接触カード固有番号を得る（ステップＳ１５）。ＣＰＵ３２は、この固有番号と、ステップＳ１２で選択したカップ飲料の種類と、ステップＳ１１で一時的にＲＡＭ３３に記憶している嗜好情報とを対応付けて、ＲＯＭ３１内の嗜好情報登録テーブルに登録（記憶）して（ステップＳ１６）、販売処理を終了する。
【００３７】
情報登録テーブルに、非接触カード固有番号とカップ飲料の種類からなる組み合わせに関して同一のレコードがある場合は、今回の嗜好情報を上書きする。情報登録テーブルに、非接触カード固有番号とカップ飲料の種類からなる組み合わせに関するレコードがない場合は、新たにレコードを新規作成してテーブルに追加する。
なお、ステップＳ１４において、嗜好情報登録ボタン１８が一定時間内に押下されなかった場合は（ステップＳ１４，Ｎｏ）、今回調整した嗜好情報をＲＯＭ３１内の嗜好情報登録テーブルへ登録しないと判断して、販売処理を終了する。
【００３８】
このように、自動販売機１に嗜好情報を登録する嗜好情報登録ボタン１８を設け、利用者識別情報（非接触カード固有番号）と商品情報（カップ飲料の種類と、このカップ飲料に対する嗜好情報）とを対応付けて嗜好情報登録テーブルへ登録できるようにした。よって、自動販売機１の利用者は、次回からは飲料濃度・クリーム・砂糖などの調合割合を調整する作業を省略化できるので、商品選択の手順を簡略化できるという効果を得られる。
【符号の説明】
【００３９】
１    自動販売機
２    商品選択ボタン
２４  登録嗜好ランプ
３    カップ飲料サンプル
４    パネル
５    紙幣挿入口
６    硬貨投入口
７    返却レバー
８    返却口
９    金額表示部
１０  増量ボタン
１１  減量ボタン
１２  原料なしボタン
１３  氷なしボタン
１４  商品取出口
１５  販売中ランプ
１６  販売中止ランプ
１７  釣銭切れランプ
１８  嗜好情報登録ボタン
１９  利用者識別情報入力手段
３０  主制御部
３５  紙幣処理制御部
３６  硬貨処理制御部
３７  接客制御部
３８  販売制御部
３９  入力制御部
【図１】
2011076148.tif 000003
【図２】
2011076148.tif 000004
【図３】
2011076148.tif 000005
【図４】
2011076148.tif 000006
【図５】
2011076148.tif 000007